(57)【要約】【課題】使用性に優れた掃除機用吸込具を提供する。【解決手段】小ノズル１２の略外側を覆うと共に小ノズル１２と着脱自在の中ノズル３と、塵埃を掻き揚げるアジテーター５を保持し中ノズル３に着脱可能なアジテーターケース６と、中ノズル３の略外周を覆うと共に中ノズル３と着脱自在の大ノズル１とを備え、大ノズル１上に、アジテーターケース６が付いた状態の中ノズル３を大ノズル１から分離させるためのアジテーターペダル２３と、アジテーターケース６が付いていない中ノズル３を大ノズル１から分離させるための中ペダル１８と、小ノズル１２を中ノズル３から分離させるための小ペダル２９を設けたもので、アジテーターペダル２３、中ペダル１８、小ペダル２９の操作で、簡単に、大ノズル１、アジテーター５付き中ノズル３、アジテーター５無しの中ノズル３、小ノズル１２の４種類の形態に容易に変えることができる。【選択図】図１
2012239724.tif 000002
【特許請求の範囲】
【請求項１】
塵埃を吸入するための小ノズルと、前記小ノズルの略外側を覆うと共に前記小ノズルと着脱自在の中ノズルと、回転して床面上の塵埃を掻き揚げるアジテーターを保持すると共に、前記中ノズルに着脱可能なアジテーターケースと、前記中ノズルの略外周を覆うと共に前記中ノズルと着脱自在の大ノズルとを備え、前記大ノズル上に、外部から操作可能で前記アジテーターケースが付いた状態で前記中ノズルを前記大ノズルから分離させるためのアジテーターペダルと、外部から操作可能で前記アジテーターケースが付いていない状態の前記中ノズルを前記大ノズルから分離させるための中ペダルと、外部から操作可能で前記小ノズルを前記中ノズルから分離させるための小ペダルを設けた掃除機用吸込具。
【発明の詳細な説明】
【技術分野】
【０００１】
本発明は、一般家庭で使用される掃除機用吸込具に関するもので、特に使用性に関するものである。
【背景技術】
【０００２】
従来の掃除機用吸込具を、図１４を用いて説明する。
【０００３】
図１４に示すように、従来の掃除機用吸込具３３は、塵埃を吸入するための吸入口Ａ（図示せず）を有する大ノズル３０と、塵埃を吸入するための吸入口Ｂ（図示せず）を有し、前記大ノズル３０に着脱可能な小ノズル３１を備えており、前記大ノズル３０に傾動自在に取り付けられたペダル３２を踏むことにより、前記大ノズル３０と前記小ノズル３１間の固定の解除ができるようになっている（例えば、特許文献１参照）。
【先行技術文献】
【特許文献】
【０００４】
【特許文献１】特開２００３−３３９５８５号公報
【発明の概要】
【発明が解決しようとする課題】
【０００５】
しかしながら上記従来の掃除機用吸込具の構成では、大ノズル３０から小ノズル３１のみが着脱可能であり、それより小型の隙間用ノズル等を使用する際は、大ノズル３０を外して、別途準備した隙間用ノズル等に接続し直す必要があり、手間がかかり、また、隙間用ノズル等を別の場所に収納する必要があるといった課題があった。
【０００６】
本発明は、上記課題を解決するもので、使用性に優れた掃除機用吸込具を提供することを目的とする。
【課題を解決するための手段】
【０００７】
上記従来の課題を解決するために本発明の掃除機用吸込具は、塵埃を吸入するための小ノズルと、前記小ノズルの略外側を覆うと共に前記小ノズルと着脱自在の中ノズルと、回転して床面上の塵埃を掻き揚げるアジテーターを保持すると共に、前記中ノズルに着脱可能なアジテーターケースと、前記中ノズルの略外周を覆うと共に前記中ノズルと着脱自在の大ノズルとを備え、前記大ノズル上に、外部から操作可能で前記アジテーターケースが付いた状態で前記中ノズルを前記大ノズルから分離させるためのアジテーターペダルと、外部から操作可能で前記アジテーターケースが付いていない状態の前記中ノズルを前記大ノズルから分離させるための中ペダルと、外部から操作可能で前記小ノズルを前記中ノズルから分離させるための小ペダルを設けたもので、絨毯上の掃除の際に、大ノズルからアジテーターケース付きの状態の中ノズルを外して使用する際は、アジテーターペダルを操作するだけでアジテーターケース付きの状態で中ノズルを外すことができ、アジテーターが吸引力により回転し、絨毯の奥の塵埃も掻き出すことができるため、高い集塵性能を確保することができる。
【０００８】
また、大ノズルからアジテーターケースを外した状態の中ノズルを外して使用する際は、中ペダルを操作するだけで、中ノズルのみを外すことができ、木床や痛みやすい生地の上を掃除する際にも、床や生地を痛めることなく掃除できる。
【０００９】
また、中ノズルから小ノズルを外して使用する際は、小ペダルを操作するだけで狭い場
所の掃除に最適な小ノズルを外すことができる。このように外部からの容易な動作により、大型の大ノズル、アジテーター付き中ノズル、アジテーター無しの中ノズル、そして狭い場所の掃除に最適な小ノズルの４種類の形態に容易に変化させることができるため、使用性に優れた掃除機用吸込具を提供することができる。
【発明の効果】
【００１０】
本発明の掃除機用吸込具は、極めて使用性に優れたものである。
【図面の簡単な説明】
【００１１】
【図１】本発明の実施の形態１における掃除機用吸込具の要部断面図
【図２】同掃除機用吸込具の要部断面図
【図３】同掃除機用吸込具の要部断面図
【図４】同掃除機用吸込具の要部断面図
【図５】同掃除機用吸込具の要部断面図
【図６】同掃除機用吸込具の要部断面図
【図７】同掃除機用吸込具の要部断面図
【図８】（ａ）同掃除機用吸込具の中ノズルと小ノズルの平面図、（ｂ）同掃除機用吸込具の大ノズルの平面図
【図９】同掃除機用吸込具の要部断面図
【図１０】同掃除機用吸込具の要部断面図
【図１１】（ａ）同掃除機用吸込具の中ノズルと小ノズルの平面図、（ｂ）同掃除機用吸込具の大ノズルの平面図
【図１２】同掃除機用吸込具の要部断面図
【図１３】（ａ）同掃除機用吸込具の小ノズルの平面図、（ｂ）同掃除機用吸込具の大ノズル及び中ノズルの平面図
【図１４】従来の掃除機用吸込具の分解斜視図
【発明を実施するための形態】
【００１２】
第１の発明は、塵埃を吸入するための小ノズルと、前記小ノズルの略外側を覆うと共に前記小ノズルと着脱自在の中ノズルと、回転して床面上の塵埃を掻き揚げるアジテーターを保持すると共に、前記中ノズルに着脱可能なアジテーターケースと、前記中ノズルの略外周を覆うと共に前記中ノズルと着脱自在の大ノズルとを備え、前記大ノズル上に、外部から操作可能で前記アジテーターケースが付いた状態で前記中ノズルを前記大ノズルから分離させるためのアジテーターペダルと、外部から操作可能で前記アジテーターケースが付いていない状態の前記中ノズルを前記大ノズルから分離させるための中ペダルと、外部から操作可能で前記小ノズルを前記中ノズルから分離させるための小ペダルを設けたもので、絨毯上の掃除の際に、大ノズルからアジテーターケース付きの状態の中ノズルを外して使用する際は、アジテーターペダルを操作するだけでアジテーターケース付きの状態で中ノズルを外すことができ、アジテーターが吸引力により回転し、絨毯の奥の塵埃も掻き出すことができるため、高い集塵性能を確保することができる。
【００１３】
また、大ノズルからアジテーターケースを外した状態の中ノズルを外して使用する際は、中ペダルを操作するだけで、中ノズルのみを外すことができ、木床や痛みやすい生地の上を掃除する際にも、床や生地を痛めることなく掃除できる。
【００１４】
また、中ノズルから小ノズルを外して使用する際は、小ペダルを操作するだけで狭い場所の掃除に最適な小ノズルを外すことができる。このように外部からの容易な動作により、大型の大ノズル、アジテーター付き中ノズル、アジテーター無しの中ノズル、そして狭い場所の掃除に最適な小ノズルの４種類の形態に容易に変化させることができるため、使用性に優れた掃除機用吸込具を提供することができる。
【００１５】
以下、本発明の実施の形態について、図面を参照しながら説明する。なお、この実施の形態によって本発明が限定されるものではない。
【００１６】
（実施の形態１）
本発明の第１の実施の形態における掃除機用吸込具について、図１〜１３を用いて説明する。
【００１７】
図１〜図１３において、本実施の形態における掃除機用吸込具３５は、塵埃を吸入するための大吸入口２を有する大ノズル１と、塵埃を吸入するための中吸入口４を有し、略外周が大ノズル１に覆われると共に大ノズル１に着脱可能な中ノズル３を備えている。
【００１８】
床面上の塵埃を掻き揚げるために自身が回転するアジテーター５は、アジテーターケース６で回転自在に保持されている。中ノズル３は、アジテーターケース６との着脱を制御するための左尾錠部７および右尾錠部９を備え、アジテーターケース６側には、左尾錠部７が挿入される左穴部８、および右尾錠部９が挿入される右穴部１０を設けている。
【００１９】
また、図１に示すように、中ノズル３の略中央部には、塵埃を吸入するための小吸入口１１を有し、中ノズル３に覆われると共に、中ノズル３に着脱可能である小ノズル１２を設けており、図５に示すように中ノズル３上に設けられて、外部から操作可能であり回動自在である爪部１３が、小ノズル１２上に設けられた突起部１４に引掛けられることで、中ノズル３と小ノズル１２間の保持が行われている。また、図１２に示すように、爪部１３を操作することで、小ノズル１２を、中ノズル３から分離させることができる。
【００２０】
また、図２、図３に示すように、大ノズル１の側面からは、中ノズル３の側面部に設けた中ノズル左穴部１５に引っ掛けることで、大ノズル１と中ノズル３間の固定を行う中ノズル左爪部１６と、中ノズル３を上方に押し上げるための中突出し部１７を設けた中ペダル１８と、中ペダル１８の略端部と回動自在に連結し大ノズル１の反対側の側面から中ノズル３の反対側の側面部に設けた中ノズル右穴部１９に引っ掛けることで、大ノズル１と中ノズル３間の固定を行う中ノズル右爪部２０を設けた中補助ペダル２１を、大ノズル１の内部に傾動自在に備えている。
【００２１】
図６に示すように、中ペダル１８を踏むことで、まず、中ペダル１８が傾動し、中ノズル左爪部１６が中ノズル左穴部１５から離れる。それと同時に、中ペダル１８と連結された中補助ペダル２１も同時に傾動し、中ノズル右爪部２０が中ノズル右穴部１９から離れることで、中ノズル３が、大ノズル１から開放される。次に、中突出し部１７が中ノズル３を押し上げることで、図８に示すように中ノズル３のみを大ノズル１から外すことができる。
【００２２】
また、図２、図３に示すように、大ノズル１の略前方側面からは、アジテーターケース６の右穴部１０に引っ掛けることで、大ノズル１とアジテーターケース６間の固定を行うアジテーター右爪部２２を設けたアジテーターペダル２３と、アジテーターペダル２３の略端部と回動自在に連結し、大ノズル１の反対側の側面からアジテーターケース６の左穴部８に引っ掛けることで、大ノズル１とアジテーターケース６間の固定を行うアジテーター左爪部２４を設けたアジテーター補助ペダル２５を、大ノズル１の内部に傾動自在に備えている。
【００２３】
この際、図２に示すように、アジテーター右爪部２２は、右穴部１０に引っ掛けるとともに、右穴部１０に挿入されていた中ノズル３に設けた右尾錠部９を内側に押し込むことで、右尾錠部９を、右穴部１０から外し、中ノズル３とアジテーターケース６間の係合を
解除させている。
【００２４】
また、アジテーター左爪部２４は、左穴部８に引っ掛けるとともに、左穴部８に挿入されていた中ノズル３に設けた左尾錠部７を内側に押し込むことで、左尾錠部７を左穴部８から外し、中ノズル３とアジテーターケース６間の係合を解除させている。
【００２５】
図９に示すように、アジテーターペダル２３を踏むことで、まず、アジテーターペダル２３は、傾動しアジテーター右爪部２２が右穴部１０から離れる。それと同時に、図１０に示すように、アジテーター右爪部２２により内側に押し込まれていた右尾錠部９が外側に広がって右穴部１０に再度挿入されて、中ノズル３とアジテーターケース６間が係合される。また、反対側でも同様に、アジテーターペダル２３と連結されたアジテーター補助ペダル２５も同時に傾動し、アジテーター左爪部２４が左穴部８から離れる。それと同時に、アジテーター左爪部２４により内側に押し込まれていた左尾錠部７が外側に広がって左穴部８に再度挿入されて、中ノズル３とアジテーターケース６間が係合される。
【００２６】
また、図２に示すように、アジテーターペダル２３には、中補助ペダル２１から形成した凸部２６と接しており、図９に示すようにアジテーターペダル２３が傾動するときには、同時に凸部２６に連動した中補助ペダル２１も、図６に示すように傾動して、先に述べた動作により、アジテーターケース６が係合された状態で、図１１に示すように中ノズル３を大ノズル１から外すことができる。
【００２７】
また、図５に示すように、中ノズル３に設けた爪部１３を解除させるための小ペダル突起部２７と、小ノズル１２を上方に押し上げるための小突出し部２８を設けた小ペダル２９を、大ノズル１の内部に傾動自在に備えている。
【００２８】
図１２に示すように、小ペダル２９を踏んで、まず、小ペダル２９を傾動させることで、小ペダル突起部２７が爪部１３を小ノズル１２と逆の方向に動かすため、爪部１３と突起部１４間の固定が解除され、小ノズル１２が中ノズル３から開放される。次に小突出し部２８が小ノズル１２を押し上げることで、図１３に示すように小ノズル１２を中ノズル３から外すことができる。
【００２９】
以上のように構成された本実施の形態における掃除機用吸込具３５について、以下その動作、作用を説明する。
【００３０】
まず、塵埃を吸引する際には、図示しない電気掃除機を小ノズル１２に接続し、吸引を行う。この際、床面の塵埃は、大ノズル１、中ノズル３、小ノズル１２を通って吸引されて電気掃除機へ移動する。
【００３１】
以上のように、本実施の形態においては、図１〜１３に示すように、絨毯上の掃除の際に、大ノズル１からアジテーターケース６付きの状態の中ノズル３を外して使用する際は、アジテーターペダル２３を操作するだけでアジテーターケース６付きの状態で中ノズル３を外すことができ、アジテーター５が吸引力により回転し、絨毯の奥の塵埃も掻き出すことができるため高い集塵性能を確保することができる。
【００３２】
また、大ノズル１から、アジテーターケース６を外した状態の中ノズル３を外して使用する際は、中ペダル１８を操作するだけで中ノズル３のみを外すことができ、木床や痛みやすい生地の上を掃除する際にも、床や生地を痛めることなく掃除できる。
【００３３】
また、小ノズル１２を中ノズル３から外して使用する際は、小ペダル２９を操作するだけで狭い場所の掃除に最適な小ノズル１２を外すことができる。このように外部からの容
易な動作により、大型の大ノズル１、アジテーター５付き中ノズル３、アジテーター５を外した中ノズル３、そして狭い場所の掃除に最適な小ノズル１２の４種類の形態に容易に変化させることができるため、使用性に優れた掃除機用吸込具を提供することができる。
【産業上の利用可能性】
【００３４】
以上のように、本発明にかかる掃除機用吸込具は、使用性、耐久性および組立性に優れ極めて有用なもので、家庭用、業務用の各種電気掃除機に適用できる。
【符号の説明】
【００３５】
１  大ノズル
３  中ノズル
５  アジテーター
６  アジテーターケース
１２  小ノズル
１８  中ペダル
２３  アジテーターペダル
２９  小ペダル
３５  掃除機用吸込具
【図１】
2012239724.tif 000003
【図２】
2012239724.tif 000004
【図３】
2012239724.tif 000005
【図４】
2012239724.tif 000006
【図５】
2012239724.tif 000007
【図６】
2012239724.tif 000008
【図７】
2012239724.tif 000009
【図８】
2012239724.tif 000010
【図９】
2012239724.tif 000011
【図１０】
2012239724.tif 000012
【図１１】
2012239724.tif 000013
【図１２】
2012239724.tif 000014
【図１３】
2012239724.tif 000015
【図１４】
2012239724.tif 000016